(57)【要約】【課題】暖房回路を利用して無駄なく経済的な即湯及び凍結防止機能を有した給湯暖房装置を提供する。【解決手段】暖房回路途中に備えられた暖房用放熱器の熱交換器に、給湯回路を沿わせて授熱部を形成し給湯栓に接続すると共に、授熱部と給湯栓との間から該授熱部の入り口側に戻るバイパス管を備え、このバイパス管には循環ポンプを備えたので、暖房用放熱器の熱交換器を利用して給水温度が低下する冬季に、給湯栓を開くと直ぐにお湯が出てくる即湯機能及び、給湯回路の凍結を防止出来、特別な熱源や電源を設けることなく簡単な構成で実現され、極めて使用勝手が良く、しかも暖房用の放熱器を利用して行うので、無駄がなく経済的である。【選択図】  図１
2005090866.tif 000002
【特許請求の範囲】
【請求項１】
暖房回路途中に備えられた暖房用放熱器の熱交換器に、給湯回路を沿わせて授熱部を形成し給湯栓に接続すると共に、授熱部と給湯栓との間から該授熱部の入り口側に戻るバイパス管を備え、このバイパス管には循環ポンプを備えた事を特徴とする給湯暖房装置。
【請求項２】
暖房回路途中に備えられた暖房用放熱器の熱交換器に、給湯回路から分岐した分岐回路を沿わせて授熱部を形成すると共に、分岐回路の終端を循環ポンプを介して給湯回路の入り口側に接続した事を特徴とする給湯暖房装置。
【請求項３】
前記暖房用放熱器は、給湯栓近くの台所や洗面所の複数箇所に備えられ、各暖房用放熱器毎に授熱部を設けるように給湯回路を複数分岐させた事を特徴とする請求項１及び２記載の給湯暖房装置。
【発明の詳細な説明】
【技術分野】
【０００１】
この発明は、冬季に暖房回路を利用して給湯の即湯機能及び凍結防止を行わせる給湯暖房装置に関するものである。
【背景技術】
【０００２】
従来よりこの種のものでは、暖房回路に給湯用の熱源を併設して暖房と共に給湯も同時或いは単独で行えるようにしたものであった。（例えば、特許文献１参照。）
【特許文献１】特公昭５９−２４３３３号公報
【発明の開示】
【発明が解決しようとする課題】
【０００３】
ところでこの従来のものでは、給湯栓を開けたら直ぐにお湯が出る即湯を達成する為に、常に熱源機であるボイラーを運転しておかなければならず、又この熱源機は冬季には暖房も同時に行うので能力の大きなものが使用されており、不経済であり無駄が大きいものであった。
【課題を解決するための手段】
【０００４】
この発明はこの点に着目し上記問題点を解決する為、請求項１では、暖房回路途中に備えられた暖房用放熱器の熱交換器に、給湯回路を沿わせて授熱部を形成し給湯栓に接続すると共に、授熱部と給湯栓との間から該授熱部の入り口側に戻るバイパス管を備え、このバイパス管には循環ポンプを備えたものである。
【０００５】
又請求項２では、暖房回路途中に備えられた暖房用放熱器の熱交換器に、給湯回路から分岐した分岐回路を沿わせて授熱部を形成すると共に、分岐回路の終端を循環ポンプを介して給湯回路の入り口側に接続したものである。
【０００６】
又請求項３では、前記暖房用放熱器は、給湯栓近くの台所や洗面所の複数箇所に備えられ、各暖房用放熱器毎に授熱部を設けるように給湯回路を複数分岐させたものである。
【発明の効果】
【０００７】
この請求項１の発明によれば、暖房用放熱器の熱交換器を利用して給水温度が低下する冬季に、給湯栓を開くと直ぐにお湯が出てくる即湯機能及び、給湯回路の凍結を防止出来、特別な熱源や電源を設けることなく簡単な構成で実現され、極めて使用勝手が良く、しかも暖房用の放熱器を利用して行うので、無駄がなく経済的である。
【０００８】
又請求項２によれば、冬季には暖房用放熱器を利用して即湯及び凍結防止が行えることは勿論、冬季以外では従来と同じく長時間待つこともなく、水を無駄に捨てる必要間なく、通常の給湯が行えるものである。
【０００９】
又請求項３によれば、給湯栓近くの暖房用放熱器を使用することで、確実で良好な即湯と凍結防止が行われ、常に安心して使用出来るものである。
【発明を実施するための最良の形態】
【００１０】
次にこの発明の一実施形態を図１に基づいて説明する。
１は熱媒体である不凍液を燃焼バーナ（図示せず）で加熱し循環ポンプ２で循環させて室内の暖房を行う暖房ボイラーで、往き管３と戻り管４にそれぞれ複数配管可能なように、往きヘッダー５と戻りヘッダー６を接続している。
【００１１】
７は往きヘッダー５及び戻りヘッダー６にそれぞれ両端を接続した第１暖房回路で、途中にはパネルコンベクターから成る第１暖房用放熱器８が備えられ、この第１暖房用放熱器８の中には熱媒体が循環し自然対流で放熱する第１熱交換器９が設けられて、台所に設置され室内の暖房を行うものである。
【００１２】
１０は第１暖房回路７と並列に往きヘッダー５及び戻りヘッダー６にそれぞれ両端を接続した第２暖房回路で、途中にはパネルコンベクターから成る第２暖房用放熱器１１が備えられ、この第２暖房用放熱器１１の中には熱媒体が循環し自然対流で放熱する第２熱交換器１２が設けられて、第１暖房用放熱器８とは別の脱衣所に設置され暖房を行うものである。
【００１３】
１３は市水道１４が接続し給水を燃焼バーナ（図示せず）で加熱して給湯を行う給湯機で、給湯配管１５途中を２つの経路に分岐し、その一つが第１給湯回路１６で先端は台所給湯栓１７に接続して給湯するものであり、この台所給湯栓１７に近い第１給湯回路１６の一部を、第１暖房用放熱器８の第１熱交換器９に沿わせて該第１熱交換器９から熱を受ける第１授熱部１８を形成している。
【００１４】
１９は第２給湯回路で、先端は浴室給湯栓２０に接続して給湯するもので、この浴室給湯栓２０に近い第２給湯回路１９の一部を、第２暖房用放熱器１１の第２熱交換器１２に沿わせて該第２熱交換器１２から熱を受ける第２授熱部２１を形成している。
【００１５】
２２は各給湯栓１７、２０と第１、第２授熱部１８、２１の間と該第１、第２授熱部１８、２１の入り口側を連通するバイパス管で、途中には循環ポンプ２３及び開閉弁２４を備え、暖房回路の戻りヘッダー６に備えられた戻り温度センサ２５や、どちらかの給湯回路に備えられた配管温度センサ２６の検出温度によって循環ポンプ２３の駆動及び開閉弁２４の開閉が制御されるものである。
【００１６】
次に図１に示す一実施形態の作動を説明する。
今冬季で室内の暖房を行う場合には、暖房ボイラー１を作動させ加熱した熱媒体を第１、第２暖房回路７、１０を介して第１、第２暖房用放熱器８、１１に流通されることで、第１、第２熱交換器９、１２からの放熱で室内の暖房が行われるものであり、この暖房は自然対流利用で緩やかでソフト暖房であり、冬季には２４時間行われるものである。
【００１７】
そしてこの暖房中では、第１、第２給湯回路１６、１９内の給湯水が、それぞれ第１、第２授熱部１８、２１で高温の熱媒体から授熱して温度上昇し、この温度を配管温度センサ２６で検出して開閉弁２４を開成、循環ポンプ２３を駆動させて、温度上昇した給湯水をバイパス管２２から第１、第２給湯回路１６、１９に順次循環させて、所定温度で給湯水を保持しておくことで、各給湯栓１７、２０を開くことで即湯が可能となるものであり、又第１、第２給湯回路１６、１９は加熱されているので、凍結防止にもなるもので、安心して使用出来るものであり、更に即湯後は給湯機１３から通常の給湯が継続して行われ、この時給湯の開始を検知して開閉弁２４は閉成されると共に、循環ポンプ２３は駆動停止しているものである。
【００１８】
勿論、暖房をしていない冬季以外は、この即湯機能及び凍結防止効果は得られないが、給水温度がそんなに低下しない冬季以外では即湯及び凍結防止の必要性は、冬季と比べれば低いと思われるので、冬季限定でも効果は大きい。
【００１９】
しかしこの図１の実施形態では、即湯しない冬季以外に使用した時に、給湯回路が長過ぎることで、設定温度の給湯を得るのに長時間待たなければならず、又その間に多量の水を無駄に捨ててしまうと言う問題点を有することから、この問題点を解決した図２の他の実施形態を説明する。
【００２０】
ここで、図１と同一構成は同一符号を付して説明は省略し、相違点のみを説明する。
２７は給湯配管１５の先端に備えられた給湯ヘッダーで、第１、第２給湯回路１６、１９が接続され、この第１給湯回路１６の台所給湯栓１７の近傍からは、第１分岐回路２８が分岐してその一部を、第１暖房用放熱器８の第１熱交換器９に沿わせて該第１熱交換器９から熱を受ける第１授熱部１８を形成している。
【００２１】
更に第２給湯回路１９の浴室給湯栓２０の近傍からは、第２分岐回路２９が分岐してその一部を、第２暖房用放熱器１１の第２熱交換器１２に沿わせて該第２熱交換器１２から熱を受ける第２授熱部２１を形成している。
【００２２】
そして、この第１、第２分岐回路２８、２９を連結して一つの回路にした後に、循環ポンプ２３及び開閉弁２４を備えて給湯回路の入り口側である給湯ヘッダー２７に接続されている。
【００２３】
これによって、冬季は即湯と凍結防止が可能であり、冬季以外の給湯は第１、第２分岐回路２８、２９を流通させることなく行えるので、お湯が出てくるまで長時間待たなくても良く、更に無駄に水を捨てることもなく経済的で、図１の実施形態の不具合を解消するものである。
【００２４】
又各授熱部１８、２１を有する各暖房用放熱器８、１１は、台所と脱衣所の給湯栓に近い場所に設置されているものを利用するので、即湯は高温状態を保持したまま良好に行われ無駄がない給湯が得られるものである。
【００２５】
更に戻り温度センサ２５で暖房の開始を検知して、各授熱部１８、２１への給湯水の循環を開始させるようにしても良く、暖房開始を確実に検知してから作動させることが出来るものである。
【図面の簡単な説明】
【００２６】
【図１】この発明の一実施形態を示す給湯暖房装置の説明図。
【図２】他の一実施形態を示す給湯暖房装置の説明図。
【符号の説明】
【００２７】
７、１０  第１、第２暖房回路
８、１１  第１、第２暖房用放熱器
９、１２  第１、第２熱交換器
１６、１９  第１、第２給湯回路
１７  台所給湯栓
１８、２１  第１、第２授熱部
２０  浴室給湯栓
２２  バイパス管
２３  循環ポンプ
２８、２９  第１、第２分岐回路
【図１】
2005090866.tif 000003
【図２】
2005090866.tif 000004